(57)【要約】【課題】計測などを行う装置の負荷をかけずに、回転方向を変更した文字などの表示を行うことができる計測装置を提供する。【解決手段】物理量を計測する計測装置において、物理量の計測に係る画面表示を行う表示部と、表示に用いられるフォントに対し、通常表示用のフォントデータと回転表示用のフォントデータとが記録されるフォント記録装置と、設定された回転表示方向に基づいて、いずれかのフォントデータを選択し、選択したフォントデータから表示データを作成する処理を行う表示作成装置と、表示部に表示させる画面の画面データを記憶する画面記憶装置と、設定された回転表示方向に基づき、表示作成装置が作成した表示データを、画面記憶装置の記憶領域の対応する位置に記憶させて画面データを作成し、画面データを含む信号を、表示部に送って表示させる処理を行う画面制御装置とを備えるものである。【選択図】図２
2019190912.tif 000002
【特許請求の範囲】
【請求項１】
物理量を計測する計測装置において、
前記物理量の計測に係る画面表示を行う表示部と、
表示に用いられるフォントに対し、通常表示用のフォントデータと回転表示用のフォントデータとが記録されるフォント記録装置と、
設定された回転表示方向に基づいて、いずれかの前記フォントデータを選択し、選択したフォントデータから表示データを作成する処理を行う表示作成装置と、
前記表示部に表示させる画面の画面データを記憶する画面記憶装置と、
設定された前記回転表示方向に基づき、前記表示作成装置が作成した表示データを、前記画面記憶装置の記憶領域の対応する位置に記憶させて画面データを作成し、該画面データを含む信号を、前記表示部に送って表示させる処理を行う画面制御装置と
を備える計測装置。
【請求項２】
前記表示作成装置は、
前記画面において表示内容が固定される領域が設定されると、前記領域以外の部分における前記表示データを作成する請求項１に記載の計測装置。
【請求項３】
前記画面制御装置は、設定された前記回転表示方向に基づいて、前記記憶領域の各位置に付された行アドレスおよび列アドレスの順番入替およびアドレスのカウント方向の正逆切替を行って、表示作成装置からの前記表示データを、対応する位置に記憶させる請求項１または請求項２に記載の計測装置。
【請求項４】
前記表示部は、行方向および列方向が８の倍数のドット数である行列状にドットが形成された正方形の液晶ディスプレイである請求項１〜請求項３のいずれか一項に記載の計測装置。
【発明の詳細な説明】
【技術分野】
【０００１】
この発明は、流量計などの計測装置に関するものである。特に、計測における文字などの表示に関するものである。
【背景技術】
【０００２】
流量計、熱量計などの物理量を計測する計測装置は、様々な位置および様々な方向に設置される。このため、設置方向によっては、計測装置の表示器に表示された内容を確認しづらい場合がある。そこで、表示器の表示方向を変更することができる計測装置が提案されている（たとえば、特許文献１参照）。
【先行技術文献】
【特許文献】
【０００３】
【特許文献１】特開２０１１−１０７０１２号公報
【発明の概要】
【発明が解決しようとする課題】
【０００４】
前述した特許文献１の計測装置では、表示器の設置方向を物理的に変えて、表示方向の変更（回転表示）に対応していた。しかしながら、現場で計測装置のケースを外して表示器の基板を取り付ける方向を変えることは、故障の原因になる。また、検定済みの計測装置などでは、内部の基板に手を触れることが認められない場合がある。このため、取り付け方向の変更が行えない場合がある。
【０００５】
ここで、加速度センサなどを用いて、機器の傾きなどから、表示方向を変更できる機器があるが、高価なものとなる。さらに、このような機器では、機器を制御するＣＰＵなどの制御装置が、ピクセル単位でのデータ入替などの複雑な処理を行って回転表示方向を変更するため、負荷が増大する。しかしながら、計測装置において、計測などを行う装置は、計測に係る処理に多くの負荷をかける必要があるため、表示に係る処理に対する負荷は少ない方がよい。
【０００６】
この発明は、このような課題を解決するため、計測などを行う装置の負荷をかけずに、回転方向を変更した文字などの表示を行うことができる計測装置を提供することを目的とする。
【課題を解決するための手段】
【０００７】
このような目的を達成するために、この発明に係る物理量を計測する計測装置は、物理量の計測に係る画面表示を行う表示部と、表示に用いられるフォントに対し、通常表示用のフォントデータと回転表示用のフォントデータとが記録されるフォント記録装置と、設定された回転表示方向に基づいて、いずれかのフォントデータを選択し、選択したフォントデータから表示データを作成する処理を行う表示作成装置と、表示部に表示させる画面の画面データを記憶する画面記憶装置と、設定された回転表示方向に基づき、表示作成装置が作成した表示データを、画面記憶装置の記憶領域の対応する位置に記憶させて画面データを作成し、画面データを含む信号を、表示部に送って表示させる処理を行う画面制御装置とを備えるものである。
【発明の効果】
【０００８】
この発明の計測装置によれば、表示に用いるフォントについて、通常表示用のフォントデータと回転表示用のフォントデータとを記録するフォント記録装置を有し、表示作成装置は、設定された表示方向により選択したフォントデータを用いて表示データを作成するようにしたので、表示作成装置では、回転に係る処理を行わなずにすむ。したがって、表示作成装置における負荷を減らすことができる。また、表示部の表示に係る速度を速めることができる。
【図面の簡単な説明】
【０００９】
【図１】この発明の実施の形態１に係る計測装置となる流量計１の外観を示す図である。
【図２】この発明の実施の形態１に係る表示器３０の構成を示す図である。
【図３】この発明の実施の形態１における表示器３０において用いられるフォントデータの一例を示す図である。
【図４】この発明の実施の形態１に係る表示記憶装置３６に記憶された表示データの一例を示す図である。
【図５】この発明の実施の形態１に係る回転しない（０°）場合の画面制御装置３３が行う処理について説明する図である。
【図６】この発明の実施の形態１に係る９０°回転する場合の画面制御装置３３が行う処理について説明する図である。
【図７】この発明の実施の形態１に係る１８０°回転する場合の画面制御装置３３が行う処理について説明する図である。
【図８】この発明の実施の形態１に係る２７０°回転する場合の画面制御装置３３が行う処理について説明する図である。
【図９】この発明の実施の形態１に係る表示器３０の回転表示に関する処理の流れを示す図である。
【発明を実施するための形態】
【００１０】
実施の形態１．
図１は、この発明の実施の形態１に係る計測装置となる流量計１の外観を示す図である。図１では、物理量を計測する計測装置として、配管に取り付けて、配管内を流れる流体の流量を計測する流量計１を、例として示している。図１において、流量計１は、検出器１０、変換器２０および表示器３０を有する電磁流量計である。検出器１０は、励磁コイル、計測管など（図示せず）を有し、計測対象の流体が通過する計測管内に磁界を発生させ、流体の通過により発生する起電力に基づく信号を出力する。変換器２０は、検出器１０が出力した信号に基づいて、流量値などに変換する処理を行う。表示器３０は、変換器２０から送られる流量値などのデータを含む信号に基づく表示を行う。
【００１１】
図２は、この発明の実施の形態１に係る表示器３０の構成を示す図である。図２において、表示器３０は、表示部３１、画面記憶装置３２、画面制御装置３３、表示作成装置３４、表示記憶装置３６およびフォント記録装置３５を有している。
【００１２】
表示部３１は、ビットマップ方式での画面表示が行われるディスプレイである。実施の形態１における表示部３１は、液晶ディスプレイ（ＬＣＤ：Ｌｉｑｕｉｄ  Ｃｒｙｓｔａｌ  Ｄｉｓｐｌａｙ）のパネルであるものとする。ここで、実施の形態１の表示部３１は、行方向および列方向が８の倍数のドット数であるマトリクス（行列）状にドットが形成された正方形のディスプレイであるものとする。ここでは、たとえば、１２８×１２８ドットであるものとする。
【００１３】
画面記憶装置３２は、表示部３１に表示させる画面に係るデータを、一時的に記憶する記憶領域を有する記憶装置である。画面記憶装置３２は、たとえば、ＤｉｓｐｌａｙＲＡＭ（Ｒａｎｄｏｍ  Ａｃｃｅｓｓ  Ｍｅｍｏｒｙ）である。ここで、表示部３１の１ドットを１ピクセル（画素）で表示させる。また、１ピクセルを１ビットのデータで表す。したがって、８ピクセル１バイトで構成され、表示部３１での表示は、二値画像（白黒画像）となる。また、実施の形態１の画面記憶装置３２は、１２８×１２８（ピクセル）＝１６３８４（ビット）＝２０４８（バイト）の記憶領域（容量）を有していることになる。画面記憶装置３２の記憶領域は、表示部３１の画面のように、記憶素子が二次元的に配列されている。たとえば、記憶領域の行方向には、行アドレス（ＲｏｗＡｄｒ）が付されている。また、列方向には、列アドレス（ＣｏｌＡｄｒ）が付されている。行アドレスおよび列アドレスの指示により、対応する記憶素子にデータを記憶する。
【００１４】
ここで、実施の形態１の表示器３０においては、表示部３１のドットに対応する各ピクセルを、行方向および列方向にそれぞれ８ピクセル毎に分割する。１２８×１２８（ピクセル）の場合には、行方向および列方向にそれぞれ１６分割される。そして、８×８ピクセルを１ブロックとする。そして、表示器３０の表示に関する処理は、ブロックを単位として行われる。
【００１５】
画面制御装置３３は、たとえば、ＩＣドライバなどの機器で処理を実現する装置である。画面制御装置３３は、表示作成装置３４から信号として送られた表示データを画面記憶装置３２に記憶させる処理を行う。画面制御装置３３は、行アドレスおよび列アドレスの順番入替およびアドレスのカウント方向の正逆切替を機能として有している。画面制御装置３３は、設定された回転表示方向に基づき、行アドレスおよび列アドレスの順番入替処理およびカウント方向の正逆切替処理を行って、表示領域における表示データを、記憶させる位置を制御しながら画面記憶装置３２に記憶させる。表示領域に記憶されたデータ全体が、画面データとなる。そして、画面記憶装置３２に記憶された画面データを含む信号を、表示部３１に送り、画面表示させる処理を行う。
【００１６】
フォント記録装置３５は、表示作成装置３４が作成の際に必要とする文字、記号、図などのフォントに係るフォントデータを記憶する。後述するように、実施の形態１のフォント記録装置３５は、各フォントについて、各通常（０°または１８０°）表示用のフォントデータと、回転（９０°または２７０°）表示用のフォントデータの２種類のフォントデータとを記録している。
【００１７】
表示作成装置３４は、回転方向に基づくフォントデータに基づいて、表示データを作成し、表示記憶装置３６に記憶させる処理を行う。そして、表示記憶装置３６に記憶された表示データを含む信号を画面制御装置３３に送る処理を行う。また、表示記憶装置３６は、表示作成装置３４が作成した表示データを記憶する。ここで、実施の形態１では、表示器３０の表示作成装置３４を独立した装置とする。しかしながら、これに限定するものではない。表示作成装置３４は、変換器２０において、流量の演算などの処理を行うＣＰＵなどの制御装置（図示せず）と同じ装置であってもよい。また、ここでは、表示作成装置３４は、表示記憶装置３６に表示データを記憶させてから、画面制御装置３３に信号を送るようにしているが、これに限定するものではない。
【００１８】
図３は、この発明の実施の形態１における表示器３０において用いられるフォントデータの一例を示す図である。前述したように、各フォントについて、図３（ａ）で示される通常表示用と図３（ｂ）で示される回転表示用との２種類のフォントデータがある。ここで、表示に係るフォントについては、ブロックのサイズに合わせたフォントデータとする必要がある。流量計１では、文字などのキャラクタでの表示が主であるため、ブロックによる制約は問題にはならない。
【００１９】
表示作成装置３４は、入力された設定に基づき、０°（回転しない）か１８０°の回転が指示されていると判定すると、フォント記録装置３５に記録された通常表示用のフォントデータを用いて表示データを作成する。一方、９０°か２７０°の回転が指示されていると判定すると、フォント記録装置３５に記録された回転表示用のフォントデータを用いて表示データを作成する。
【００２０】
図４は、この発明の実施の形態１に係る表示記憶装置３６に記憶された表示データの一例を示す図である。図４（ａ）は、通常表示用のフォントデータを用いて作成された表示データである。図４（ｂ）は、回転表示用のフォントデータを用いて作成された表示データである。表示作成装置３４は、表示データを含む信号を、ブロック単位で画面制御装置３３に送る。
【００２１】
図５は、この発明の実施の形態１に係る回転しない（０°）場合の画面制御装置３３が行う処理について説明する図である。１２８×１２８ピクセルは、１６行１６列のブロックに分かれる。ここで、行アドレスは、上から下に向かっては増え（インクリメント）、下から上に向かっては減る（デクリメント）。列アドレスは、左から右に向かっては増え（インクリメント）、右から左に向かっては減る（デクリメント）。
【００２２】
０°の場合、画面制御装置３３は、通常表示用のフォントデータを用いて作成された表示データに対し、正方向に、列方向に先に記憶させていく処理を行う。また、図５（ａ）に示すように、行アドレスおよび列アドレスをインクリメントする処理を行う。したがって、表示データを処理した画面データは、図５（ｂ）に示すようなものとなる。
【００２３】
図６は、この発明の実施の形態１に係る９０°回転する場合の画面制御装置３３が行う処理について説明する図である。９０°の場合、画面制御装置３３は、回転表示用のフォントデータを用いて作成された表示データに対し、正方向に、行方向に先に記憶させていく処理を行う。また、図６（ａ）に示すように、行アドレスをインクリメントする処理を行い、列アドレスをデクリメントする処理を行う。したがって、表示データを処理した画面データは、図６（ｂ）に示すように、０°の画面データが９０°回転されたものとなる。
【００２４】
図７は、この発明の実施の形態１に係る１８０°回転する場合の画面制御装置３３が行う処理について説明する図である。１８０°の場合、画面制御装置３３は、通常表示用のフォントデータを用いて作成された表示データに対し、逆方向に、列方向に先に記憶させていく処理を行う。また、図７（ａ）に示すように、行アドレスおよび列アドレスをデクリメントする処理を行う。したがって、表示データを処理した画面データは、図７（ｂ）に示すように、０°の画面データが１８０°回転されたものとなる。
【００２５】
図８は、この発明の実施の形態１に係る２７０°回転する場合の画面制御装置３３が行う処理について説明する図である。２７０°の場合、画面制御装置３３は、回転表示用のフォントデータを用いて作成された表示データに対し、逆方向に、行方向に先に記憶させていく処理を行う。また、図８（ａ）に示すように、行アドレスをデクリメントする処理を行い、列アドレスをインクリメントする処理を行う。したがって、表示データを処理した画面データは、図８（ｂ）に示すように、０°の画面データが２７０°回転されたものとなる。
【００２６】
図９は、この発明の実施の形態１に係る表示器３０の回転表示に関する処理の流れを示す図である。上述した各装置の動作の流れについて説明する。表示作成装置３４は、設定されている回転方向を判定する（ステップＳ１）。表示作成装置３４では、０°または１８０°回転が設定されていると判定すると、フォント記録装置３５に記録された通常表示用のフォントデータを用いて表示データを作成し、画面制御装置３３に転送する（ステップＳ２）。一方、９０°または２７０°回転が設定されている場合には、フォント記録装置３５に記録された回転表示用のフォントデータを用いて表示データを作成し、画面制御装置３３に転送する（ステップＳ３）。
【００２７】
画面制御装置３３は、列と行との処理順の切替およびインクリメントとデクリメントとの切替を行い、画面記憶装置３２の表示領域の対応する位置に、表示データを記憶する（ステップＳ４）。画面制御装置３３は、画面記憶装置３２に記憶された画面データを含む信号を表示部３１に送り、表示させる（ステップＳ５）。
【００２８】
以上のように、実施の形態１の流量計１によれば、表示器３０における表示において、表示に用いるフォントについて、通常表示用のフォントデータと回転表示用のフォントデータとをフォント記録装置３５に記録するようにした。また、表示作成装置３４は、設定された表示方向により選択したフォントデータを用いて表示データを作成するようにしたので、設定された表示方向による回転に係る処理を行なわずにすむ。そして、フォントを９０°回転または２７０°回転に係る処理ができない画面制御装置３３の代わりに、回転させたフォントの表示データを作成する表示作成装置３４において、回転に伴う処理の負荷を減らし、表示に係る速度を速めることができる。ここで、フォントデータを記憶させる容量は多くなるが、流量計１において表示させるフォントの種類は多くないので、表示作成装置３４を回転に係る負荷に対応させるよりも、コストを低減することができる。
【００２９】
実施の形態２．
実施の形態１では特に言及しなかったが、画面内において、たとえば、項目、単位などを表示する部分のように、表示内容を変更しなくてもよい部分がある場合がある。このとき、表示内容を固定する領域を設定しておけば、表示作成装置３４では、表示が変動する部分について表示データを作成し、画面制御装置３３に信号を転送すればよい。したがって、表示作成装置３４側では、表示データの転送を速くすることができ、表示作成装置３４における表示に係る処理の負荷をさらに減らすことができる。
【００３０】
実施の形態３．
上述した実施の形態１などにおいては、表示作成装置３４と画面制御装置３３とに役割を分けたが、これに限定するものではない。画面制御装置３３が、変換器２０が処理したデータに基づき、フォントデータを用いて表示データを作成するようにしてもよい。
【００３１】
上述した実施の形態１などでは、説明しなかったが、たとえば、タッチパネルなどを有し、指示を促す画面を表示しているような場合には、画面の回転表示に合わせて、指などで押された位置における指示内容の判断も変更することになる。
【００３２】
また、上述した実施の形態１などにおいては、流量計１を計測装置として説明したが、これに限るものではない。表示器３０を有する圧力計などにおいても適用することができる。
【符号の説明】
【００３３】
１  流量計、１０  検出器、２０  変換器、３０  表示器、３１  表示部、３２  画面記憶装置、３３  画面制御装置、３４  表示作成装置、３５  フォント記録装置、３６  表示記憶装置。
【図１】
2019190912.tif 000003
【図２】
2019190912.tif 000004
【図３】
2019190912.tif 000005
【図４】
2019190912.tif 000006
【図５】
2019190912.tif 000007
【図６】
2019190912.tif 000008
【図７】
2019190912.tif 000009
【図８】
2019190912.tif 000010
【図９】
2019190912.tif 000011